(57)【要約】【課題】変形可能な放熱構造を有するレーザ発光装置を提供する。【解決手段】レーザ発光装置１０は、レーザ光源１１と、レーザ光源１１に熱的に接続されたヒートシンク１２と、ヒートシンク１２に熱的に接続された、塑性変形または弾性変形する材料からなる熱伝導体１３とを備える。【選択図】図３
2018026315.tif 000002
【特許請求の範囲】
【請求項１】
レーザ光源と、
前記レーザ光源に熱的に接続されたヒートシンクと、
前記ヒートシンクに熱的に接続された、塑性変形または弾性変形する材料からなる熱伝導体とを備える
レーザ発光装置。
【請求項２】
前記熱伝導体は、液状であり、
前記レーザ発光装置は、さらに、前記熱伝導体を収容する袋体を備え、
前記ヒートシンクは、前記袋体の口部を通って前記袋体に収容された前記熱伝導体に浸かることにより、前記ヒートシンクに熱的に接続される
請求項１に記載のレーザ発光装置。
【請求項３】
さらに、前記袋体の口部と前記ヒートシンクとの隙間を塞ぐシール部材を備える
請求項２に記載のレーザ発光装置。
【請求項４】
前記ヒートシンクのうち前記熱伝導体に浸かる部分は、角の無い形状である
請求項２または３に記載のレーザ発光装置。
【請求項５】
前記ヒートシンクのうち前記熱伝導体に浸かる部分の外表面には、凹凸が設けられる
請求項２〜４のいずれか１項に記載のレーザ発光装置。
【請求項６】
請求項１〜５のいずれか１項に記載のレーザ発光装置と、
前記レーザ光源に電力を供給する電源装置と、
前記レーザ光源が発するレーザ光を導光する光ファイバと、
前記光ファイバによって導光された前記レーザ光を波長変換して所定の色の光を発する灯具とを備える
照明装置。
【発明の詳細な説明】
【技術分野】
【０００１】
本発明は、レーザ発光装置、及び、これを備える照明装置に関する。
【背景技術】
【０００２】
従来、レーザ光源を用いた照明装置が知られている。特許文献１には、ＬＥＤ光源を用いたＬＥＤ照明モジュールと、レーザ光源を用いたレーザ照明モジュールとを備える照明装置が開示されている。
【先行技術文献】
【特許文献】
【０００３】
【特許文献１】特開２０１３−２５４６８９号公報
【発明の概要】
【発明が解決しようとする課題】
【０００４】
ところで、レーザ光源を用いたレーザ発光装置においては、レーザ光源の放熱性を高めることが課題である。放熱性を高める手法の一つとして、レーザ光源にヒートシンクを接続する放熱構造が考えられる。しかしながら、レーザ発光装置を設置する際に当該レーザ発光装置を小さな開口を通さなければならないような場合等、ヒートシンクの形状及び大きさが制限される場合には、放熱構造に検討の余地がある。
【０００５】
本発明は、変形可能な放熱構造を有するレーザ発光装置、及び、照明装置を提供する。
【課題を解決するための手段】
【０００６】
本発明の一態様に係るレーザ発光装置は、レーザ光源と、前記レーザ光源に熱的に接続されたヒートシンクと、前記ヒートシンクに熱的に接続された、塑性変形または弾性変形する材料からなる熱伝導体とを備える。
【０００７】
本発明の一態様に係る照明装置は、前記レーザ発光装置と、前記レーザ光源に電力を供給する電源装置と、前記レーザ光源が発するレーザ光を導光する光ファイバと、前記光ファイバによって導光された前記レーザ光を波長変換して所定の色の光を発する灯具とを備える。
【発明の効果】
【０００８】
本発明によれば、変形可能な放熱構造を有するレーザ発光装置、及び、照明装置が実現される。
【図面の簡単な説明】
【０００９】
【図１】図１は、実施の形態に係る照明装置の外観斜視図である。
【図２】図２は、実施の形態に係る照明装置の使用態様を示す断面図である。
【図３】図３は、実施の形態に係るレーザ発光装置の分解斜視図である。
【図４Ａ】図４Ａは、袋体の本体部の変形を示す第１の図である。
【図４Ｂ】図４Ｂは、袋体の本体部の変形を示す第２の図である。
【図５】図５は、角の無い形状のヒートシンクの外観斜視図である。
【図６】図６は、フィンが設けられたヒートシンクの外観斜視図である。
【発明を実施するための形態】
【００１０】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略または簡略化される場合がある。
【００１２】
以下の実施の形態の図面においては、Ｚ軸方向は、例えば上下方向（鉛直方向）であり、Ｚ軸＋側は、上側と記載される場合がある。また、Ｚ軸−側は、下側と記載される場合がある。また、Ｘ軸方向及びＹ軸方向は、Ｚ軸に垂直な平面（水平面）上において、互いに直交する方向である。
【００１３】
（実施の形態）
［照明装置の構成］
以下、実施の形態に係る照明装置の構成について説明する。図１は、実施の形態に係る照明装置の外観斜視図である。図２は、実施の形態に係る照明装置の使用態様を示す断面図である。なお、図２では、電源装置３０のみ断面ではなく側面が図示されている。
【００１４】
図１及び図２に示されるように、照明装置１００は、建物の天井６０に取り付けられるダウンライトである。照明装置１００は、レーザ発光装置１０と、灯具２０と、電源装置３０と、光ファイバ４０と、電源ケーブル５０とを備える。レーザ発光装置１０と灯具２０とは、光ファイバ４０によって光学的に接続される。レーザ発光装置１０と電源装置３０とは電源ケーブル５０によって電気的に接続される。
【００１５】
照明装置１００は、灯具２０が天井６０の開口部６１に対して挿入された状態で、天井６０の上面に載置される。つまり、照明装置１００は、灯具２０の一部を除いて天井裏に配置される。
【００１６】
［レーザ発光装置］
次に、レーザ発光装置１０について図１及び図２に加えて図３を参照しながら説明する。図３は、レーザ発光装置１０の分解斜視図である。レーザ発光装置１０は、レーザ光源１１と、ヒートシンク１２と、熱伝導体１３と、袋体１４と、蓋１５と、シール部材１６と、ネジ１７とを備える。また、図３では、光ファイバ４０及び電源ケーブル５０も図示されている。
【００１７】
レーザ光源１１は、レーザ光を発する光源である。レーザ光源１１は、例えば、青紫または青色のレーザ光を発する半導体レーザである。レーザ光源１１の発光中心波長は、例えば、４３０ｎｍ以上４９０ｎｍ以下である。レーザ光源１１は、紫外光を発してもよい。レーザ光源１１は、具体的には、ＣＡＮパッケージ型の素子であるが、チップ型の素子であってもよい。なお、図中では、レーザ光源１１の光軸がＹ軸に沿うように図示が行われている。つまり、明細書中では、光軸方向は、Ｙ軸方向と同じ意味である。
【００１８】
ヒートシンク１２は、発光中のレーザ光源１１の放熱に用いられる構造体である。ヒートシンク１２は、レーザ光源１１で発生した熱をヒートシンク１２に逃がすことができる。ヒートシンク１２は、レーザ光源１１の光軸方向（Ｙ方向）を長手方向とする長尺状（棒状）である。ヒートシンク１２は、より具体的には、レーザ光源１１の光軸方向を高さ方向とする円柱状である。なお、ヒートシンク１２の形状は、特に限定されない。例えば、ヒートシンク１２は、角柱状であってもよい。ヒートシンク１２は、例えば、アルミニウムまたは銅などの熱伝導性が比較的高い金属により形成される。ヒートシンク１２は、固体であり、変形しない。
【００１９】
ヒートシンク１２は、レーザ光源１１に熱的に接続される。ヒートシンク１２は、具体的には、取り付け面（Ｙ軸−側の面）がヒートシンク１２と熱的に接続される。例えば、ヒートシンク１２とレーザ光源１１とは表面同士が直接接続されるが、放熱用のシリコーンなどの放熱材または放熱性の高い接着材を介して接続されてもよい。
【００２０】
ヒートシンク１２は、熱伝導体１３に浸かることにより、ヒートシンク１２に熱的に接続される。ヒートシンク１２は、具体的には、袋体１４の口１４ｃ（口部１４ｂ）を通って、袋体１４に収容された熱伝導体に浸かる。
【００２１】
熱伝導体１３は、ヒートシンク１２が熱的に接続され、外力（人力）によって塑性変形する材料からなる熱伝導体である。熱伝導体１３は、ヒートシンク１２を包む（覆う）ように配置される。熱伝導体１３によれば、ヒートシンク１２から熱伝導体１３に熱を逃がすことができる。実施の形態では、熱伝導体１３は、液状（液体）であり、流動性を有する。このように、熱伝導体１３が液状である場合には、熱伝導体１３の自然対流によって熱が効果的に分散され放熱性が高められる。
【００２２】
熱伝導体１３は、例えば、シリコーン油などの液状の放熱用シリコーンである。熱伝導体１３は、パーフルオロカーボン（ＰＦＣ）構造を有するフッ素系不活性液体であってもよい。このようなフッ素系不活性液体は、より具体的には、フロリナート（登録商標）である。また、熱伝導体１３は、セダー油などの絶縁油であってもよい。
【００２３】
なお、熱伝導体１３は、液状のものに限定されない。熱伝導体１３は、空気よりも熱伝導率の高い材料であって、かつ、塑性変形する材料で形成されればよい。例えば、熱伝導体１３は、ゲル状または粘土状の放熱用シリコーンであってもよい。また、熱伝導体１３は、放熱シリコーンゴムなどの弾性変形する材料によって形成されてもよい。このように、熱伝導体１３は、塑性変形する組成を有するか、弾性変形する組成を有してればよく、特に限定されない。
【００２４】
袋体１４は、熱伝導体１３を収容する袋状の容器であり、レーザ発光装置１０の外郭を構成する。袋体１４は、本体部１４ａと、口部１４ｂとを有する。
【００２５】
本体部１４ａは、袋体１４の下部に位置し、熱伝導体１３が収容される部分である。袋体１４は、柔軟性（可撓性）を有するシリコーンまたはエラストマーなどによって形成される。本体部１４ａは、照明装置１００の設置者が手で触ることによって変形自在である。つまり、本体部１４ａは、人力で変形自在である。なお、本体部１４ａは、弾性または伸縮性を有してもよい。
【００２６】
口部１４ｂは、袋体１４の上部に位置し、円形の口１４ｃを形成する円環状の部分であり、本体部１４ａよりも硬い部分である。つまり、口部１４ｂは、人力ではほとんど変形しない部分である。口部１４ｂは、例えば、アルミニウムまたは銅などの金属により形成されるが、樹脂によって形成されてもよい。口部１４ｂには、蓋１５を取り付けるための有底穴であるネジ穴１４ｄが設けられる。
【００２７】
袋体１４によれば、熱伝導体１３は、ヒートシンク１２の周辺に維持される。なお、袋体１４は、熱伝導体１３が液状であり、流動性を有する場合に用いられればよい。袋体１４は、熱伝導体１３がゲル状もしくは粘土状である場合、または、熱伝導体が弾性変形する場合など、袋体１４が無くても当該熱伝導体１３の形状を維持できる場合などには必須ではない。
【００２８】
蓋１５は、袋体１４の口１４ｃを塞ぐ円板状（円環板状）の部材である。実施の形態では、蓋１５は、ヒートシンク１２と一体形成されるが、蓋１５は、ヒートシンク１２とは別体であってもよい。蓋１５は、例えば、アルミニウムまたは銅などの金属により形成される。蓋１５は、ネジ挿通孔１５ａを有し、ネジ挿通孔１５ａに上方から挿通されるネジ１７によって口部１４ｂと固定される。
【００２９】
シール部材１６は、蓋１５と口部１４ｂとの間に挟み込まれ、袋体１４の口部１４ｂとヒートシンク１２（蓋１５）との隙間を塞ぐ、円環板状の部材である。シール部材１６は、いわゆるパッキンであり、例えば、ゴムまたはエラストマーなどの弾性（伸縮性）を有する材料によって形成される。
【００３０】
シール部材１６は、ネジ１７が挿通されるネジ挿通孔１６ａと、ヒートシンク１２が挿通されるヒートシンク挿通孔１６ｂとを有する。ヒートシンク挿通孔１６ｂは、ヒートシンク１２の断面形状よりもわずかに小さい円形である。ヒートシンク挿通孔１６ｂにヒートシンク１２が挿通された状態においてシール部材１６は、ヒートシンク１２によって内側から広げられている状態であり、ヒートシンク１２を締めつける。したがって、ヒートシンク挿通孔１６ｂとヒートシンク１２との隙間は密封される。
【００３１】
このように、シール部材１６によれば、袋体１４の口１４ｃから熱伝導体１３が漏れてしまうことを抑制することができる。なお、シール部材１６は、オーリングなどその他の態様であってもよい。
【００３２】
光ファイバ４０は、レーザ光源１１が発するレーザ光を導光する。光ファイバ４０の入射口は、レーザ光源１１の光の出射口に接続され、光ファイバ４０の入射口には、レーザ光源１１が発するレーザ光が入射される。光ファイバ４０の出射口は、灯具２０の内部に配置される。出射口から出射されるレーザ光は、灯具２０の内部に配置された波長変換材２４に出射される。なお、光ファイバ４０は、レーザ発光装置１０に含まれてもよい。
【００３３】
電源ケーブル５０は、電源装置３０から供給される電力をレーザ光源１１に供給するためのケーブルである。電源ケーブル５０の一方の端部は、電源装置３０内の電源回路に接続される。また、詳細については図示されないが、電源ケーブル５０の他方の端部は、レーザ光源１１に接続される。なお、電源ケーブル５０は、レーザ発光装置１０に含まれてもよい。
【００３４】
［灯具］
次に、灯具２０について説明する。灯具２０は、開口部６１に嵌められ、光ファイバ４０によって導光されたレーザ光を波長変換して所定の色の光を発する。灯具２０は、筐体２１と、保持部２２と、波長変換材２４と、レンズ２５とを備える。
【００３５】
筐体２１は、保持部２２、波長変換材２４、及び、レンズ２５を収容する、下側が開口した有底円筒状の部材である。筐体２１の外径は、開口部６１の直径よりもわずかに小さく、筐体２１は、開口部６１に嵌めこまれる。筐体２１は、より詳細には、取り付けばね（図示せず）によって開口部６１に固定される。筐体２１は、例えば、アルミニウムまたは銅などの熱伝導性が比較的高い金属により形成される。
【００３６】
保持部２２は、光ファイバ４０を保持する円柱状の部材であり、一部が筐体２１内に収容されている。保持部２２は、筐体２１の上部に配置される。光ファイバ４０は、保持部２２の中心軸に沿って形成された貫通孔に通された状態で保持される。保持部２２は、光ファイバ４０の出射口が下方を向くように光ファイバ４０を保持する。保持部２２は、例えば、アルミニウムまたは銅などによって形成されるが、樹脂によって形成されてもよい。
【００３７】
波長変換材２４は、筐体２１内の、光ファイバ４０の出射口に対向する位置に収容されている。波長変換材２４は、光ファイバ４０の出射口から出射されたレーザ光を波長変換して、所定の色の光を発する光学部材である。所定の色の光は、例えば、白色光であるが、特に限定されない。
【００３８】
波長変換材２４は、具体的には、基板と、当該基板に積層された蛍光部とを備えている。基板は、蛍光部を保持する部材である。基板は、例えばガラス、サファイアなどの透光性材料によって形成される。蛍光部は、樹脂またはガラスなどの透光性を有する基材の内部に蛍光体の粒子が分散された部材である。蛍光体は、レーザ光によって励起されて蛍光を発する。なお、蛍光部は、蛍光体の粒子が固められた部材であってもよい。
【００３９】
実施の形態では、蛍光部に含まれる蛍光体には、レーザ光によって励起されて赤色光を発する第一蛍光体、レーザ光によって励起されて青色光を発する第二蛍光体、レーザ光によって励起されて緑色光を発する第三蛍光体の３種類の蛍光体が含まれる。３種類の蛍光体は、波長変換材２４から所望の白色光が発せられるように適切な割合で含まれる。
【００４０】
蛍光部に含まれる蛍光体の種類は特に限定されない。例えば、蛍光部には、レーザ光によって励起されて黄色光を発する黄色蛍光体と、レーザ光によって励起されて赤色光を発する赤色蛍光体との２種類の蛍光体が含まれてもよい。この場合も、２種類の蛍光体は、波長変換材２４から所望の白色光が発せられるように適切な割合で含まれる。
【００４１】
なお、蛍光部はに含まれる蛍光体は、比較的高い出力のレーザ光が励起光となるため、耐熱性が高いほうがよい。また、蛍光部の基材の種類は特に限定されないが、白色光の出射効率を高めるために透明度が高いとよい。また、基材には、比較的高い出力のレーザ光が入射するため、基材は、耐熱性が高いほうがよい。
【００４２】
レンズ２５は、筐体２１の下部に配置され、波長変換材２４から発せられた光の配光を制御する光学部材である。レンズ２５の波長変換材２４と対向する面は、波長変換材２４から発せられた光を極力漏らすことなくレンズ２５内に取り込むことができる形状となっている。
【００４３】
［電源装置］
次に、電源装置３０について説明する。電源装置３０は、レーザ発光装置１０（レーザ光源１１）に電力を供給する装置である。電源装置３０の内部には、電源回路が収容される。電源回路は、レーザ発光装置１０を発光させるための電力を生成し、生成した電力を電源ケーブル５０を通じて灯具２０に供給する。電源回路は、具体的には、電力系統から供給される交流電力を直流電力に変換して出力するＡＣ−ＤＣ変換回路であり、レーザ光源１１には直流電流が供給される。
【００４４】
電源装置３０は、光軸方向（Ｙ軸方向）を長手方向とする略直方体状である、電源装置３０は、光軸方向における全長にわたって、光軸方向から見た断面形状が開口部６１よりも小さくなっている。このため、設置者は、電源装置３０を室内側から開口部６１を通じて天井裏に入れることができる。
【００４５】
［熱伝導体の変形］
照明装置１００を設置する際には、設置者は、開口部６１を通じて天井裏にレーザ発光装置１０を入れる必要がある。放熱性を高めるためにヒートシンク１２を大きくしてしまうと、ヒートシンク１２が開口部６１を通らなくなってしまう可能性がある。
【００４６】
これに対し、レーザ発光装置１０では、ヒートシンク１２を大きくする代わりにヒートシンク１２は、液状の熱伝導体１３に浸かっている。これにより、設置者は、熱伝導体１３が収容された本体部１４ａが開口部６１を通る形状になるように本体部１４ａを変形（塑性変形）させることができる。設置者は、本体部１４ａを、図４Ａに示されるような形状にすることもできるし、図４Ｂに示されるような形状にすることもできる。つまり、本体部１４ａは、設置者が手で触ることによって変形自在である。図４Ａ及び図４Ｂは、熱伝導体１３が収容された本体部１４ａの変形を説明するための外観斜視図である。
【００４７】
したがって、設置者は、熱伝導体１３が収容された本体部１４ａが開口部６１を通る形状になるように本体部１４ａを変形させることができる。設置者は、例えば、図４Ａのような形状の本体部１４ａを図４Ｂのように細長く変形することにより、本体部１４ａを開口部６１に容易に通すことができる。熱伝導体１３が弾性変形する場合も同様である。
【００４８】
このように、塑性変形または弾性変形する材料からなる熱伝導体１３によれば、変形可能な放熱構造を有するレーザ発光装置１０及び照明装置１００が実現される。
【００４９】
［変形例］
ヒートシンク１２のうち熱伝導体１３に浸かる部分は、角の無い形状であってもよい。図５は、角の無い形状のヒートシンクの外観斜視図である。
【００５０】
図５に示されるように、ヒートシンク１２ａは、ヒートシンク１２の角（図５の破線部）が丸められることによって形成される。角の無い形状のヒートシンク１２ａによれば、袋体１４の本体部１４ａを変形させたときに、ヒートシンク１２ａの角が本体部１４ａに当たって本体部１４ａが破損することが抑制される。そうすると、本体部１４ａが破損することによって熱伝導体１３が本体部１４ａから漏れ出てしまうことが抑制される。
【００５１】
また、上述のように、熱伝導体１３が液状である場合には、熱伝導体１３の自然対流によって熱を分散することができる。このとき、角の無い形状のヒートシンク１２ａによれば、熱伝導体１３の自然対流がスムーズに循環するため、より効率的に熱を分散することができる。
【００５２】
また、ヒートシンク１２うち熱伝導体１３に浸かる部分の外表面には、凹凸が設けられてもよい。例えば、ヒートシンク１２の外表面は、ディンプル状に加工されてもよいし、溝が設けられてもよい。また、ヒートシンク１２の外表面には、フィンが形成されてもよい。図６は、フィンが設けられたヒートシンク１２ｂの外観斜視図である。
【００５３】
熱伝導体１３に浸かる部分の外表面に凹凸（フィン）が設けられたヒートシンク１２ｂは、凹凸が設けられないヒートシンク１２よりも熱伝導体１３との接触面積が増えるため、ヒートシンク１２ｂから熱伝導体１３への熱の伝導を促進することができる。なお、ヒートシンク１２の外表面には、当該外表面に角が形成されないように凹凸が設けられてもよい。
【００５４】
［効果等］
以上のように、レーザ発光装置１０は、レーザ光源１１と、レーザ光源１１に熱的に接続されたヒートシンク１２と、ヒートシンク１２に熱的に接続された、塑性変形または弾性変形する材料からなる熱伝導体１３とを備える。
【００５５】
これにより、変形可能な放熱構造を有するレーザ発光装置１０が実現される。
【００５６】
また、熱伝導体１３は、液状であり、レーザ発光装置１０は、さらに、熱伝導体１３を収容する袋体１４を備え、ヒートシンク１２は、袋体１４の口部１４ｂを通って、袋体１４に収容された熱伝導体１３に浸かることにより、ヒートシンク１２に熱的に接続されてもよい。
【００５７】
これにより、熱伝導体１３が液状であっても熱伝導体１３をヒートシンク１２の周辺に維持することができる。
【００５８】
また、レーザ発光装置１０は、さらに、袋体１４の口部１４ｂとヒートシンク１２との隙間を塞ぐシール部材１６を備えてもよい。
【００５９】
これにより、袋体１４の口１４ｃから熱伝導体１３が漏れてしまうことを抑制することができる。
【００６０】
また、ヒートシンク１２ａのように、ヒートシンク１２のうち熱伝導体１３に浸かる部分は、角の無い形状であってもよい。
【００６１】
これにより、袋体１４の本体部１４ａを変形させたときに、ヒートシンク１２の角が本体部１４ａに当たって本体部１４ａが破損することが抑制される。そうすると、本体部１４ａが破損することによって熱伝導体１３が本体部１４ａから漏れ出てしまうことが抑制される。また、熱伝導体１３が液状である場合には、熱伝導体１３の自然対流がスムーズに循環するため、より効率的に熱を分散することができる。
【００６２】
また、ヒートシンク１２ｂのように、ヒートシンク１２のうち熱伝導体１３に浸かる部分の外表面には、凹凸が設けられてもよい。
【００６３】
これにより、ヒートシンク１２と熱伝導体１３との接触面積が増えるため、ヒートシンク１２から熱伝導体１３への熱の拡散を促進することができる。
【００６４】
また、照明装置１００は、レーザ発光装置１０と、レーザ光源１１に電力を供給する電源装置３０と、レーザ光源１１が発するレーザ光を導光する光ファイバ４０と、光ファイバ４０によって導光されたレーザ光を波長変換して所定の色の光を発する灯具２０とを備える。
【００６５】
これにより、変形可能な放熱構造を有する照明装置１００が実現される。
【００６６】
（まとめ）
以上、本発明のレーザ発光装置及び照明装置について、実施の形態に基づいて説明した。なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【００６７】
例えば、上記実施の形態では、照明装置がダウンライトである例について説明されたが、本発明は、ダウンライト以外の照明装置にも適用可能である。
【符号の説明】
【００６８】
１０  レーザ発光装置
１１  レーザ光源
１２、１２ａ、１２ｂ  ヒートシンク
１３  熱伝導体
１４  袋体
１６  シール部材
２０  灯具
３０  電源装置
４０  光ファイバ
１００  照明装置
【図１】
2018026315.tif 000003
【図２】
2018026315.tif 000004
【図３】
2018026315.tif 000005
【図４Ａ】
2018026315.tif 000006
【図４Ｂ】
2018026315.tif 000007
【図５】
2018026315.tif 000008
【図６】
2018026315.tif 000009